(57)【特許請求の範囲】
【請求項１】
透明板が裏面側において保持される前枠を、遊技領域の前方に位置するように、開閉自在に設けたパチンコ機であって、
透明板の端縁を受け入れる合成樹脂製のレールを取り付けるためのレールリブが、合成樹脂製の前枠の裏面に一体成形によってコ字状に突設されており、
レールリブの内側面に、対応するレールを、レールに設けた鉤部あるいは爪部をレールリブに設けた取り付け孔あるいは孔に入れた状態で引くことによって一体的に取り付け、さらに、それぞれのレールの端部と、隣接するレールの端部とを組み合わせることにより、レールを固定することを特徴とするパチンコ機。
【発明の詳細な説明】
【０００１】
【発明の属する技術分野】
本発明は、パチンコ機に関し、さらに詳しくは、遊技球が流下する遊技領域を覆う前枠に関する。
【０００２】
【従来の技術】
図１０に示す従来のパチンコ機８１は、上半部に、障害釘や入賞装置が配設された遊技領域８２を備えており、遊技領域８２前方は、ガラス板８３，８３を裏面に備えた前枠８４によって覆われている。前枠８４の裏面の、上側を除く三辺縁には、図１１にも示すような、２つの溝８５，８５を折り曲げ形成した断面Ｗ字状の長金具８６，８６・・が螺着されており、前枠８４は、各長金具８６の各溝８５にガラス板８３を受け入れて、各ガラス板８３を保持している。
【０００３】
【発明が解決しようとする課題】
上記従来のパチンコ機８１では、長金具８６，８６・・は、ガラス板８３，８３を強度十分に受け入れるべく、多数個所において螺着されている。したがって、製造もしくはメンテナンス時において着脱に手間がかかる。また、長金具８６，８６・・の螺着を確実とするために、前枠８４全体も金属製とされているので、前枠８４の重量がかさみ、前枠８４の取り扱いに配慮が必要となっている。
【０００４】
よって、本発明のうち、請求項１から請求項４に記載の発明の課題は、ガラス板などの透明板を支える強度が十分でありながら、軽くて取り扱いやすい前枠を備えたパチンコ機を提供することにある。
【０００５】
【課題を解決するための手段】
本発明のうち、請求項１に記載の発明は、透明板が裏面側において保持される前枠を、遊技領域の前方に位置するように、開閉自在に設けたパチンコ機であって、透明板の端縁を受け入れる合成樹脂製のレールを取り付けるためのレールリブが、合成樹脂製の前枠の裏面に一体成形によってコ字状に突設されており、レールリブの内側面に、対応するレールを、レールに設けた鉤部あるいは爪部をレールリブに設けた取り付け孔あるいは孔に入れた状態で引くことによって一体的に取り付け、さらに、それぞれのレールの端部と、隣接するレールの端部とを組み合わせることにより、レールを固定することを特徴とする。
【０００９】
【発明の実施の形態】
以下、本発明の実施形態につき、２例挙げ、図面に基づいて説明する。
【００１０】
［第１実施形態］
図１は、第１実施形態に係るパチンコ機１の前側の斜視説明図であって、パチンコ機１の外周には、外枠２が設けられている。また、外枠２の、前側から見て左上コーナー部には、上連結金具４が固定されており、左下コーナー部には、下連結金具５が取り付けられている。さらに、上連結金具４と下連結金具５とを介して、遊技盤などの内部機構（図示せず）およびすぐ後に述べる前枠７などを支持する、本体枠３が枢着されている。遊技盤の前面には、ほぼ円形で、障害釘や各種入賞装置が配された遊技領域が設けられている。くわえて、本体枠３は、左側ほぼ中央に、中連結金具６を備えている。そして、上連結金具４と中連結金具６とを介して、それぞれ透明板であるガラス板２６，２６を支持した前枠７が枢着されている。なお、前枠７の左上コーナー部には、スペーサ１３と、出没自在な枢軸を備えた軸金具３８とが、組み付けられている。
【００１１】
図２から図８は、前枠７の説明図であって、前枠７は、遊技領域大の開口部を有するベース１２と、その開口部に周設されたランプ飾り８とを備えている。ベース１２は、発泡倍率を約１．０５と低くしたカウンタープレッシャー法により成形された、およそ３ｍｍ厚の合成樹脂製であり、開口部が遊技領域の前方に位置するように枢着されている。また、ランプ飾り８は、ほとんどすべての部分が合成樹脂製で、両側に透光部９を備えており、インモールド成形法により、各透光部９以外において金属光沢を呈するように成形されている。さらに、前枠７の上部中央には、上ランプ飾り１０が設けられており、上ランプ飾り１０の両側には、カバー１１，１１が取り付けられている。
【００１２】
一方、前枠７のベース１２の前から見て裏の面は、周囲が一体成形により起立されている。また、各透光窓９の裏側であってベース１２の前側には、ランプ基板３７（図８）が設けられている。ランプ基板３７は、各透光窓９の上下端部にあたる位置において、それぞれ裏側から見て手前から奥へ向けてベース１２から突設された爪１６によって、係止されている。なお、上ランプ飾り１０後方とベース１２との間にも、同様なランプ基板（図示せず）が設置される。各ランプ基板は、パチンコ機１の制御装置（図示せず）と電気的に接続されていて点灯制御され、各透光窓９あるいは上ランプ飾り１０を様々な態様で点滅させる。
【００１３】
さらに、ベース１２の下辺起立部は、下レールリブ１７とされている。またさらに、ベース１２の、裏側から見て左右の辺縁には、カバー１１の下側の水平リブ１４，１４から、下レールリブ１７までに亘って、周囲に沿うように、左右レールリブ１８，１９が、一体成形により立設されている。下レールリブ１７には、３つのＴ字状の取り付け孔２０，２０・・が、中央と両端縁とに穿設されている。同様に、左右レールリブ１８，１９の、下部を除いた部分の中央と両端縁とに、逆Ｌ字状の取り付け孔２１，２１・・が、３つずつ穿設されている。
【００１４】
くわえて、左レールリブ１８と周囲起立部との間において平行に、水平リブ１４下方から下レールリブ１７の近傍までに亘って、閉成部材用リブ４６が立設されている。閉成部材用リブ４６の裏から見て右面からは、圧接用の小リブ５２，５２・・が、一定間隔で立設されている。また、閉成部材用リブ４６の上端から、上端際に配置された取り付け孔２１下側までにおいて、横リブ２２が水平に立設されている。横リブ２２のほぼ中央には、貫通孔２３が穿設されている。さらに、左レールリブ１８の下端部には、左側方への逃げ部２４が形成されている。またさらに、下レールリブ１７の裏から見て左端奥であって、逃げ部２４の左側には、貫通孔２５が穿設されている。くわえて、閉成部材用リブ４６の中央付近の裏から見てすぐ右には、奥から手前へ、かつ左から右へ延びる鉤部４７が立設されている。
【００１５】
また、下，左，右レールリブ１７，１８，１９の内側には、対応するレールリブ１７〜１９と同じ長さである、下，左，右レール２７，２８，２９が取り付けられている。左右レール２８，２９は、ポリカーボネート製であり、長手方向ほぼすべてに亘って、裏から見て奥から順に第１片３０、第２片３１、第３片３２を、内側へ突出するように、それぞれ一体成形されている。また、第２片３１の外側に、鉤部３３，３３・・が、取り付け孔２１，２１・・と対応するよう配置された状態で、外側へ突出するように一体成形されている。
【００１６】
一方、下レール２７も、左右レール２８，２９と同様に形成されているが、中央の鉤部３３の周辺部における裏から見て手前側が、別体の補強部３４とされている点は相違する（図６など）。補強部３４は、耐疲労性、耐磨耗性に優れた素材、たとえばアセタール樹脂製であり、第３片３２の一部と、第２片３１の下部に形成された長い凹部に下から嵌まる鉤片３６と、鉤部３３の突出成形のため必要となる第２片３１の孔を塞ぐ突出部３５と、中央の鉤部３３の半部とを含む形状からなる。
【００１７】
さらに、右レール２９の下端には、受け孔４０が穿設されている。また、下レール２７の右端には、受け孔４０とほぼ同寸の押し付け突起４１が突設されており、左端には、下レール２７より若干小さい幅の受け片４２が突設されている。くわえて、左レール２８の下端は、受け片４２とほぼ同寸の凹部を成形して、押し付け部４３とされている。
【００１８】
そして、右レール２９が、各鉤部３３を対応する取り付け孔２１の上部に入れた状態で下に引くことによって、係止されている（図３）。下に引いた状態では、鉤部３３は取り付け孔２１の前後方向に狭い部分に位置し、下端と接している。また、右レール２９の下端が、下レールリブ１７と接している。同様に、下レール２７が、右へ引かれて取り付けられる（図４）。下レール２７が右へ引かれると、右端の押し付け突起４１が、右レール１９の受け孔４０に挿入され、下レール２７の下部と組み合うとともに、逃げ部２４に位置していた受け片４２が、逃げ部２４からちょうど右に出た位置に移動する。さらに同様に、左レール２８が、下に引かれて取り付けられる。左レール２８下端の押し付け部４３は、下レール２７の，受け片４２の外周と、受け片４２が立っている端面とに接し、組み合う。
【００１９】
くわえて、ベース１２の左周辺起立部と、左レールリブ１８との間に、前枠７を本体枠３に閉状態でロックする際に係合される断面コ字状の閉成部材４５が、上下の貫通孔２３，２５に一部分を挿入するとともに、閉成部材用リブ４６を囲むようにして取り付けられている。このとき、閉成部材用リブ４６の裏から見て左側の面と、各小リブ５２とが、閉成部材４５に圧接する。また、閉成部材４５の裏から見て右側に突設された鉤片４４（図５）が、鉤部４７と、互いに係合し合う。
【００２０】
そして、内側に係止爪４８を有し、右側に進入片４９を備えた逆凹字状の固定部材５０が、閉成部材４５に跨ってその上端を係止爪４８で係止するとともに、進入片４９が、最上の取り付け孔２１の空いた上側全体に入って、左レール２８の最上の鉤部３３にやや圧接した状態で、横リブ２２の上側に係合されている（図７，図８）。固定部材５０の係合と、各レール２７〜２９同士の組み合いとにより、各レール２７〜２９は、前枠７と一体的に、すなわち、取り付け後は、ガラス板を出し入れする場合においても、前枠７に対し相対移動しないように固定される。この状態で、肉厚３ｍｍ程度のガラス板２６が、各レール２７〜２９の、第１片３０と第２片３１との間、および第２片３１と第３片３２との間（いずれもガラス板２６の肉厚より僅かに大きい）に、上方から挿入されている。
【００２１】
このようなパチンコ機１では、側縁に開閉自在に設けられた前枠７の裏面の、各レールリブ１７〜１９に、対応するレール２７〜２９が、鉤部３３を掛けることにより取り付けられているので、ワンタッチでガラス板２６，２６の支持構造を、形成もしくは取り外しすることができる。また、レール２７〜２９やベース１２などを合成樹脂で成形しても、ガラス板２６，２６を強度十分に支持することができ、前枠７全体を軽量に構成することができる。これらにより，前枠７を，製造もしくはメンテナンス時において取り扱い易いものとすることができる。
【００２２】
さらに、複数のレールの端部と、隣接するレールの端部とが組み合い、右レール２９、下レール２７、左レール２８の順に取り付けていくと、左レール２８の上端付近のみに固定部材５０を係合するだけで、全てのレール２７〜２９が固定されるので、取り付けを完了するための固定作業が簡単となるし、レール２７〜２９は取り付け後、前枠７と一体的になり、シンプルな構成ながら強度面で有利である。ここで、ロック機構の一部である閉成部材４５も同時に固定部材５０で取り付けられるため、さらに前枠７の扱いが簡便となる。
【００２３】
また、下レール２７には、耐疲労性、耐磨耗性に優れる補強部３４が設けられているため、遊技球が衝突しても、割れや欠損を防止することができる。ここで、パチンコ機１での遊技中、入賞装置に入賞しなかった遊技球は、円状の遊技領域の最下部（左右方向のほぼ中央に位置する）に達し、回収のため前から見て奥へ導かれ、前枠７の下部の前から見てすぐ奥において落下するようになっている一方、入賞した遊技球は前から見てより奥で落下するようになっているので、各レール２７〜２９のうち、遊技球と衝突する可能性があるのは、下レール２７のうち裏から見て手前側の中央部であり、したがって補強部３４は必要十分な位置および範囲を占めている。さらに、補強部３４は、中央の鉤部３３を成形する際に設けられた孔を塞ぐため、強度向上が図れるとともに、工具を侵入させる隙間をなくして不正行為を防止することができる。
【００２４】
なお、各レールリブ１７〜１９が、辺縁において三方を囲んだコ字状で一体成形されているため、反りあるいはねじれなどに前枠７全体で抗することができて、前枠７を高強度にて形成でき、また他にリブを張り巡らさなくても良いので前枠７の形成が容易となるし、さらに各レール２７〜２９の取り付け強度も向上することができる。また、閉成部材４５は、閉成部材用リブ４６の圧接と、鉤片４４の鉤部４７への係合とにより固定されるので、前枠７に対し強度十分に固定することができて、前枠７がロックされているにも関わらず開いてしまう事態を防止することができる。
【００２５】
［第２実施形態］
第２実施形態に係るパチンコ機は、図９に示す前枠５７のベース５８の裏面以外は、第１実施形態のパチンコ機と同様である。以下、第１実施形態と同様な部分には同符号を付し、相違点を中心に説明する。
【００２６】
第２実施形態の前枠５７は、ちょうど第１実施形態の全てのレールが、各レールリブと一体成形されたようになっており、すなわちベース５８の上側以外の三方を囲むように、下，左，右レール６０，６１，６２が、ベース５８と一体化して立設されている。各レール６０〜６２は、第１片部６３、第２片部６４、第３片部６５を備えている。なお、固定部材５０は、閉成部材４５のみを固定する。
【００２７】
第２実施形態のパチンコ機においては、前枠５７のベース５８に、第１片部６３、第２片部６４、第３片部６５を備えたレール６０〜６２が一体成形されているので、強度を十分にできるし、成形さえすればガラス板支持構造が形成できて、便利である。
【００２８】
なお、本発明は、上記実施形態に限定されるものではなく、次に一部示すように様々に変更可能である。前枠、ガラス板その他の各部材の材質は、レールが合成樹脂製である他は、合成樹脂もしくはガラスなどに限られない。また、合成樹脂の場合、種類、発泡倍率もしくは成形方法は問わない。さらに、補強部は設ける必要はないし、必要であれば左右レールの下部などに設けることもできる。またさらに、レールの取り付けは、右、下、左の順とする態様に限られることはないし、組み合いにより一体的にされもしくは固定される必要はなく、取り付け孔と鉤部とが圧接するように構成し、直接一体的に固定されるようにしても良い。また、レールを互いに組み合わせる場合、下レールが右レールと組み合い、左レールが下レールと組み合う必要はないし、複数のレールを設けても組み合わないように、あるいは一部のみ組み合うようにしたり、組み合いの態様も、押し付けを伴う、孔と突起もしくは凹部と片の係合とする必要はなく、押し付けを伴わない爪と係止孔とするなど、様々に変更することができる。
【００２９】
またさらに、左レールと閉成部材とは共通の固定部材で取り付けられる必要はない。くわえて、各レールの対応するレールリブへの取り付けは、鉤部を取り付け孔に掛ける態様に限定されず、爪部を孔に係止する態様などとすることができる。さらには、各種レールは、左右および下のコ字状配置に限定されず、左に開いたコ字状や、半円を含むもの、ガラス板をはめ込んだ後に四方を閉塞するものなどとすることができる。
【００３０】
また、各種ランプ基板は、ベースに対して固定するだけでなく、ランプ飾り側に組み付けても良いし、対応するランプ飾りとともにそれぞれ省略することもできる。さらに、前枠は、パチンコ機の他の部分に対してスライド係合するなど、枢着されるものに限られない。また、各レールは、第１〜第３片を設けてガラス板を２枚保持する必要はなく、第２片まで設けてガラス板を１枚支持するものや、３枚以上のガラス板を支持するものとすることができる。そして、本発明は、前枠の開口部が円形以外の他のパチンコ機、また、パチンコ機以外の他の遊技機にも適用することができる。
【００３１】
【発明の効果】
本発明のうち、請求項１に記載の発明は、透明板の端縁を受け入れるレールを合成樹脂製とし、互いに組み合って固定される複数の部材で構成して、前枠の裏面と一体でコ字状のレールリブの内側面に引くことにより取り付けたので、パチンコ機の前枠を、透明板を支える強度が十分でありながら、軽くて取り扱いやすいものとすることができる。
【図面の簡単な説明】
【図１】本発明の第１実施形態に係るパチンコ機の、正面を示す斜視説明図である。
【図２】ガラス板およびスペーサ、軸金具を除いた前枠の（ａ）正面，（ｂ）裏面を示す斜視説明図である。
【図３】裏面から見た前枠の一部分解説明図である。
【図４】裏面から見た前枠の一部分解説明図である。
【図５】図４に基づく各部材中央断面説明図である。
【図６】前枠下側を拡大して示す（ａ）中央断面説明図、（ｂ）中央断面分解説明図である。
【図７】裏面から見た前枠の一部分解説明図である。
【図８】レールおよび閉成部材を（ａ）固定する前、（ｂ）固定した後の説明図である。
【図９】本発明の第２実施形態のパチンコ機における前枠の、裏面を示す斜視説明図である。
【図１０】従来例を示す説明図である。
【図１１】従来の前枠の長金具を示す説明図である。
【符号の説明】
１・・パチンコ機、２・・外枠、３・・本体枠、４・・上連結金具、５・・下連結金具、６・・中連結金具、７，５７・・前枠、８・・ランプ飾り、９・・透光部、１０・・上ランプ飾り、１１・・カバー、１２，５８・・ベース、１３・・スペーサ、１４・・水平リブ、１６・・爪、１７・・下レールリブ、１８・・左レールリブ、１９・・右レールリブ、２０，２１・・取り付け孔、２２・・横リブ、２３，２５・・貫通孔、２４・・逃げ部、２６・・ガラス板、２７・・下レール、２８・・左レール、２９・・右レール、３０・・第１片、３１・・第２片、３２・・第３片、３３，４７・・鉤部、３４・・補強部、３５・・突出部、３６，４４・・鉤片、３７・・ランプ基板、３８・・軸金具、４０・・受け孔、４１・・押し付け突起、４２・・受け片、４３・・押し付け部、４５・・閉成部材、４６・・閉成部材用リブ、４８・・係止爪、４９・・進入片、５０・・固定部材、５２・・小リブ、６０・・下レール、６１・・左レール、６２・・右レール、６３・・第１片部、６４・・第２片部、６５・・第３片部。
【図１】
0003912646.tif 000002
【図２】
0003912646.tif 000003
【図３】
0003912646.tif 000004
【図４】
0003912646.tif 000005
【図５】
0003912646.tif 000006
【図６】
0003912646.tif 000007
【図７】
0003912646.tif 000008
【図８】
0003912646.tif 000009
【図９】
0003912646.tif 000010
【図１０】
0003912646.tif 000011
【図１１】
0003912646.tif 000012